(57)【要約】【課題】  認証の対象となる被写体の画像のうち登録されるべき被写体の画像に限って良好な画質が得られるように被写体撮像の処理をする。【解決手段】  登録時には、指紋撮像部１０１により、登録すべき指紋の画像を撮像した時のパラメータ値を不揮発性記憶部１０５に画像データと対応付けて記憶する。認証時はパラメータ値を読出して指紋撮像部１０１に設定し指紋を撮像する。これにより、正当な登録者が指紋認証を行なう場合は、登録者の個人特性に合致したパラメータ値による撮像が行なわれるので、認証のための良好な画質が得られる。登録者以外が指紋認証を行なう場合は、該人物の個人特性に合致しないパラメータ値により撮像されて、画像信号が出力されるので、当該画像信号による画質は良好とはなり得ない。【選択図】        図１
2006260054.tif 000002
【特許請求の範囲】
【請求項１】
動作モードとして登録モードと認証モードとを有し、前記認証モードでは画像データどうしを照合して、照合結果に基づき認証処理する認証装置であって、
与えられるパラメータ値に従い、被写体を撮像して前記被写体の画像信号を出力する撮像部と、
前記撮像部から出力される前記画像信号を前記画像データに変換して出力する変換部と、
前記登録モードにおいて、前記変換部から出力された前記画像データに基づき、前記パラメータ値を決定するパラメータ決定部と、
前記パラメータ決定部により決定された前記パラメータ値と前記変換部から出力された前記画像データとが対応付けて格納される記憶部と、
前記認証モードにおいて、前記記憶部から前記パラメータ値を読出して前記撮像部に出力し、前記記憶部から読出した当該パラメータ値に対応の前記画像データと前記変換部から出力された前記画像データとを照合する照合制御部とを備える、認証装置。
【請求項２】
前記パラメータ決定部は、
前記変換部から出力された前記画像データが示す画質レベルを、前記照合のための所定レベルに基づき判定する画質判定部と、
前記パラメータ値を調整して、調整後の前記パラメータ値を前記撮像部に出力するパラメータ調整部とを含み、
前記画質判定部により前記画質レベルが前記所定レベルに合致すると判定されるまで、前記撮像部からの前記画像信号の出力、前記変換部によるデータ変換、前記画質判定部による画質の判定、および前記パラメータ調整部による前記パラメータ値の調整が繰返されることを特徴とする、請求項１に記載の認証装置。
【請求項３】
前記パラメータ調整部は、前記画質判定部の前記判定の結果に基づき前記パラメータ値の調整量を決定する、請求項２に記載の認証装置。
【請求項４】
前記撮像部は、
前記画像信号により示される前記被写体の輝度を、与えられる前記パラメータ値に従い変更する輝度変更部を含む、請求項１に記載の認証装置。
【請求項５】
前記輝度変更部は、
前記画像信号を入力して、当該画像信号の直流成分のレベルを、与えられる前記パラメータ値に従い変更する、請求項４に記載の認証装置。
【請求項６】
前記輝度変更部は、
前記被写体を撮像するための照明光量を、与えられる前記パラメータ値に従い変更する、請求項４に記載の認証装置。
【請求項７】
前記画像データはバイナリデータであり、
前記変換部は、
前記画像信号を入力して、入力した前記画像信号を、前記輝度に従いバイナリデータに変換することを特徴とする、請求項１に記載の認証装置。
【請求項８】
前記画像データは、各画素が黒および白のいずれかに該当する前記バイナリデータであり、
前記所定レベルは、前記画像データの全画素に占める黒および白のいずれかの画素の割合で指示されることを特徴とする、請求項７に記載の認証装置。
【請求項９】
前記被写体は指紋であることを特徴とする、請求項１に記載の認証装置。
【請求項１０】
動作モードとして登録モードと認証モードとを有し、前記認証モードでは画像データどうしを照合して、照合結果に基づき認証処理する認証装置における認証方法であって、
与えられるパラメータ値に従い、撮像部を用いて被写体を撮像して前記被写体の画像信号を出力する撮像ステップと、
前記撮像ステップにより出力される前記画像信号を前記画像データに変換して出力する変換ステップと、
前記登録モードにおいて、前記変換ステップにより出力された前記画像データに基づき、前記パラメータ値を決定するパラメータ決定ステップと、
前記パラメータ決定ステップにより決定された前記パラメータ値と前記変換ステップにより出力された前記画像データとをメモリに対応付けて格納する格納ステップと、
前記認証モードにおいて、前記メモリから前記パラメータ値を読出して前記撮像部に出力し、前記メモリから読出した当該パラメータ値に対応の前記画像データと前記変換ステップにより出力された前記画像データとを照合する照合制御ステップとを備える、認証方法。
【請求項１１】
請求項１０に記載の前記認証方法をコンピュータに実行させるための認証プログラム。
【請求項１２】
請求項１０に記載の前記認証方法をコンピュータに実行させるための認証プログラムを記録した機械読取り可能な記録媒体。
【発明の詳細な説明】
【技術分野】
【０００１】
本発明は、認証装置、認証方法、認証方法をコンピュータに実行させるための認証プログラムおよび当該プログラムを記録した機械読取り可能な記録媒体に関し、特に、認証の対象となる被写体の画像データを得るための撮像に関するパラメータ値を変更する認証装置、認証方法、認証方法をコンピュータに実行させるための認証プログラムおよび当該プログラムを記録した機械読取り可能な記録媒体に関する。
【背景技術】
【０００２】
従来、個人認証が必要な場合に暗証番号による認証などが用いられてきたが、近年、指紋を利用した認証が広がっている。指紋を利用した認証では、指紋認証装置にあらかじめ指紋画像を登録しておく。認証を行なう際には、指紋認証装置に組込まれた指紋撮像装置により撮像した指紋画像と、あらかじめ登録した指紋画像との間で照合を行ない、照合結果に基づき、指紋を登録した人物（以下、登録者と記す）と認証を実行した人物（以下、認証者と記す）が同一人物であるかを判断する。照合結果に基づき同一人物の指紋であると判断されれば認証成功とし、同一人物の指紋でないと判断されれば認証失敗とする。
【０００３】
指紋認証では、暗証番号を用いた認証装置において発生する暗証番号の紛失、漏洩などの危険性が少ないため、安全性が重要となるシステムにおいて指紋認証が利用されている。
【０００４】
近年、インターネットなど通信網を介した決済システムが広く利用されるようになっており、それにつれ、携帯電話、ＰＤＡ（personal digital assistant）等の個人用携帯機器への指紋認証装置の組込みが広がっている。これら個人用携帯機器においては、装置の小型化が容易という理由により、固体撮像素子を用いて指紋を撮像する指紋認証装置が使用されている。
【０００５】
固体撮像素子により指紋を撮像する場合は、素子の撮像面に指を置き、密着させ撮像する。このとき、撮像対象の指の皮膚表面の油脂量、撮像面に対する押圧力など個人特性により、画像の画質が左右される欠点がある。
【０００６】
上記欠点を改良するため、種々の提案がなされている。たとえば、特許文献１では、撮像面上の物体の抵抗値を測定し、得られた抵抗値によって、撮像装置のパラメータを変化させ画像の画質を向上させる方法が提案されている。
【０００７】
また、特許文献２では、撮像面下に圧力センサを設け、撮像時の撮像面押圧力がある一定の時に撮像を開始する手順にて、撮像画質を向上させる方法が提案されている。
【特許文献１】特開２００３−１８７２３４号公報
【特許文献２】特開２００４−１９９４８７号公報
【発明の開示】
【発明が解決しようとする課題】
【０００８】
特許文献１と２では、撮像面上に置かれた物体の特性に応じ撮像装置のパラメータを自動的に変更する、もしくは撮像面上に置かれた物体の特性が一定となる条件にて撮像を行ない良好な画質の画像を得ている。したがって、登録者でない人物の指が撮像面に置かれ指紋を撮像した場合、登録者の指紋を撮像した場合と同様に撮像画像の画質は良好となる。
【０００９】
登録者でない人物の指紋画像の画質を向上させることは、正当な登録者でない第３者を正当登録者であると誤認識する率を、すなわち他人受け入れ率を高めることにつながり、指紋認証を用いたセキュリティ性を損なう惧れがある。それゆえに、正当な登録者の指紋は良好な画質で撮像されるけれども、正当な登録者でない人物の指紋については、その指紋画像の画質を良好にするような撮像動作がなされないことが、セキュリティ上望ましい。
【００１０】
この発明の目的は、認証の対象となる被写体の画像のうち登録されるべき被写体についてのみ撮像のパラメータが当該被写体に固有の値が適用されるように被写体撮像の処理をする認証装置、認証方法、認証方法をコンピュータに実行させるための認証プログラムおよび当該プログラムを記録した機械読取り可能な記録媒体を提供することである。
【課題を解決するための手段】
【００１１】
この発明のある局面に従う認証処理においては、撮像部により、与えられるパラメータ値に従い、被写体を撮像して被写体の画像信号が出力されると、当該画像信号は画像データに変換される。登録モードにおいては、変換されて出力された画像データに基づき、パラメータ値が決定される。そして、決定されたパラメータ値と変換されて出力された画像データとが対応付けて格納される。
【００１２】
認証モードにおいては、格納されていたパラメータ値が読出されて撮像部に与えられて、読出された当該パラメータ値に対応して格納されていた画像データと変換して出力された画像データとが照合される。
【発明の効果】
【００１３】
本発明では、登録モードにおいて被写体を撮像した時の撮像部のパラメータ値が格納される。認証モードで被写体を撮像して画像データを取得する場合には、登録モードで撮像された被写体について決定されたパラメータ値が撮像部に与えられて被写体が撮像される。これにより、認証モードとにおいて登録モードと同一の被写体についての認証が行なわれる場合には、当該被写体について決定されて登録されているパラメータ値により撮像が行なわれる。
【００１４】
一方、同一でない被写体についての認証が行なわれる場合には、当該被写体について決定されたものではないパラメータ値により撮像が行なわれるので、登録された被写体の撮像時にのみ当該被写体に固有のパラメータ値を用いた撮像が可能となる。その結果、画像データの照合結果は同一の指紋でないことを示すから、認証処理結果が示す他人受け入れ率は下がり、当該認証処理を用いたセキュリティは向上する。
【発明を実施するための最良の形態】
【００１５】
以下、この発明の実施の形態について図面を参照して説明する。ここでは、個人認証のために撮像される被写体は個人に特有のバイオメトリクス情報であって、ここでは指紋の画像としているが、これに限定されない。たとえば、網膜の画像、静脈の画像などであってもよい。
【００１６】
図１の各実施の形態に係る指紋認証装置１は、指紋撮像部１０１、入力部１０２、後述のゲインカウンタ１１４を有するＣＰＵ（central processing unit）１０３、表示部１０４、不揮発性記憶部１０５、メインメモリ１０６、着脱自在にＦＤ（flexible disk）１１０やＣＤ−ＲＯＭ（compact disc read only memory）１１１が装着されて、装着された記憶媒体をアクセスする外部Ｉ／Ｆ１０９、外部の各種の通信ネットワーク１１３と指紋認証装置１とを接続するための通信Ｉ／Ｆ１１２を備える。通信ネットワーク１１３にはインターネットを適用することも可能である。また、有線に限定されず、電波や光（赤外線）による無線の通信ネットワーク１１３であってもよい。
【００１７】
指紋認証装置１は、指紋撮像部１０１の撮像面上に接触するように置かれた指の指紋を撮像し、撮像して得られた画像信号をデジタルデータに変換して、画像データ２０８を出力する。また、指紋撮像部１０１に与えられる撮像に係るパラメータは可変に設定されて、設定されたパラメータにより撮像して出力される指紋画像の画質は変化する。ここでは、当該パラメータは指紋撮像部１０１の増幅器のゲインを調整するためのゲインコントロール信号２０５として示される。指紋撮像部１０１の一例である静電容量型指紋撮像装置は、たとえば、岡崎、町田著「指紋センサLSI」(電子情報通信学会技報 CAS2002-25,VLD2002-39,DSP2002-65（2002−06）)に示されている。
【００１８】
入力部１０２は、指紋認証装置１の使用者が、指紋登録処理や指紋認証処理などの処理モードの別やＩＤ番号など、所望の情報を入力するために操作される装置であり、キーボード、ボタンなどからなる。ＣＰＵ１０３は、指紋認証装置１の全体の制御・監視、ならびに全ての演算処理を行なう。表示部１０４は液晶ディスプレイ、ＣＲＴ（陰極線管）、ＬＥＤ（light emitting diode）などからなり、指紋登録処理または指紋認証処理の結果を含む各種情報を表示する。不揮発性記憶部１０５には、後述の１つまたは複数の登録指紋データ１０７が格納される。
【００１９】
メインメモリ１０６には、指紋認証装置１の動作の制御・監視を行なうための各種プログラム１０８、および後述する初期ゲインデータＧＡを含む各種データが格納される。
【００２０】
図２を参照して、指紋撮像部１０１は撮像面２０１、複数のセンサ電極２０２、センサ回路２０３、ゲイン制御端子２１４を有する増幅器２０４、ＣＰＵ１０３からゲインコントロール信号２０５が与えられる可変抵抗器２０６およびＡ／Ｄ（analog/digital）変換器２０７を備える。撮像面２０１の主面（外部に露出している面）には撮像対象となる指が置かれる。複数のセンサ電極２０２は、撮像面２０１の主面とは反対面に配置されている。センサ回路２０３の構成は後述する。
【００２１】
増幅器２０４は、センサ回路２０３から出力される画像信号を示す電圧信号を入力して、ゲイン制御端子２１４の電圧レベルに応じて増幅して、出力する。
【００２２】
可変抵抗器２０６は定電圧源ＶＣＣを接続し、ゲイン制御端子２１４には定電圧源ＶＣＣからの電圧が可変抵抗器２０６を介して供給される。可変抵抗器２０６は、抵抗と可動片２１０を有し、可動片２１０は、与えられるゲインコントロール信号２０５の信号レベルに応じて抵抗上を移動する。抵抗における可動片２１０の位置により可変抵抗器２０６の抵抗値が変化するので、定電圧源ＶＣＣからゲイン制御端子２１４に供給される電圧レベルは、すなわち増幅器２０４のゲインレベルは、ＣＰＵ１０３によりゲインコントロール信号２０５が操作されることにより、可変に調整される。
【００２３】
増幅器２０４はゲインレベルが可変調整されるので、増幅器２０４に入力する電圧信号の直流成分レベル（画像の輝度信号レベル）をゲインレベルに従い上昇・下降（明るく・暗く）させて出力する。これは、「指紋画像の各画素の輝度を変化させる」ことを意味する。
【００２４】
Ａ／Ｄ変換器２０７は、増幅器２０４から出力された画像信号を入力してデジタルデータ、すなわち輝度レベルに基づくバイナリデータに変換して、画像データ２０８としてＣＰＵ１０３に出力する。Ａ／Ｄ変換器２０７より出力されたデジタルデータは指紋画像の各画素の輝度レベルを示すデータである。このように、指紋撮像部１０１では、グレースケールの画像を撮像することができる。ＣＰＵ１０３は入力した画像データ２０８に基づきゲインコントロール信号２０５のレベルを設定して、レベル設定されたゲインコントロール信号２０５を出力する。
【００２５】
図３には、撮像対象の指３０１が撮像面２０１の主面上に置かれた状態の複数のセンサ電極２０２の周辺が模式的に示される。指３０１を撮像面２０１の主面上に置いた場合、各センサ電極２０２と指３０１の間にコンデンサ３０２が形成される。このとき、指３０１の撮像面２０１の主面に置かれた指紋の凸凹により、指３０１と各センサ電極２０２との間の距離は異なるため、形成される各コンデンサ３０２の容量は異なる。センサ回路２０３は、各コンデンサ３０２の容量の違いを電極２０２の出力電圧レベルに基づき検知し、その違いを示す電圧信号に変換して増幅器２０４に出力する。このように、センサ回路２０３から出力される電圧信号は、撮像面２０１の主面に置かれた指紋の凸凹の状態を示す画像に対応の信号となす。図３は、静電容量型のセンサであり、センサ回路２０３には、例えば、「指紋センサー携帯機器への搭載が本格化」中の図４(EDN9月号、http://www.ednjapan.com/edn_j/ 2002/09/cover0209.html)等を適用することができる。
【００２６】
ＣＰＵ１０３が、入力した画像データ２０８についてメインプログラム１０８に従い実行する指紋の照合処理では、指紋線の形状に基づき照合が行なわれる。そのため、指紋線が認識できない、言い換えると指紋の画像データ２０８に基づき、指紋の山部と谷部が区別できない場合には、照合処理に失敗する。よって、正当な登録者の指紋画像であってとしても、その輝度が高いまたは低いの一方に偏っている場合には、指紋の山部と谷部を区別することはできないので照合処理に失敗する。これを防止するために、増幅器２０４のゲインレベルが調整される。一般的に、乾燥肌の人物の指紋が撮像された場合は、指紋画像の画素の輝度は高い（画像が白くなる）ためにゲインを低くして輝度を下げる（画像をより黒くする）ように制御し、逆に脂性の人物の指紋が撮像された場合には、輝度は低い（画像が黒くなる）ため、ゲインを高くして輝度を上げる（画像をより白くする）ように制御する。これにより指紋画像中の各画素の輝度が高いまたは低いの一方に偏らない指紋画像による画像データ２０８を出力することができる。
【００２７】
図２では、指紋撮像部１０１に静電容量型センサを用いたが、これに代替して、図４の圧電センサまたは図５の光学センサなどを適用することもできる。図４の圧電センサを用いた指紋撮像部１０１は、撮像面４０１、複数の圧電センサ電極４０２、センサ回路４０３、ゲイン制御端子４０８を有する増幅器４０４、ゲインコントロール信号２０５が与えられる可変抵抗器４０６、およびＡ／Ｄ変換器４０７を備える。
【００２８】
撮像面４０１の外部に露出する主面上には撮像対象となる指が置かれる。主面とは反対の面には複数の圧電センサ電極４０２が配置される。圧電センサ電極４０２とセンサ回路４０３の構成と機能については、特開平５−６１９６６号公報に詳細が示される。
【００２９】
増幅器４０４は、センサ回路４０３から出力される画像信号を示す電圧信号を入力して、ゲイン制御端子４０８の電圧レベルに応じて増幅して、出力する。
【００３０】
可変抵抗器４０６は定電圧源ＶＣＣを接続し、ゲイン制御端子４０８には定電圧源ＶＣＣからの電圧が可変抵抗器４０６を介して供給される。可変抵抗器４０６は、抵抗と可動片４１０を有し、可動片４１０は、ＣＰＵ１０３から与えられるゲインコントロール信号２０５の信号レベルに応じて抵抗上を移動する。抵抗における可動片４１０の位置により可変抵抗器４０６の抵抗値が変化するので、定電圧源ＶＣＣからゲイン制御端子４０８に供給される電圧レベルは、すなわち増幅器４０４のゲインレベルは、ＣＰＵ１０３によりゲインコントロール信号２０５が操作されることにより、可変に調整される。
【００３１】
Ａ／Ｄ変換器４０７は、増幅器４０４から出力された画像信号を入力して、デジタルデータに変換して画像データ２０８としてＣＰＵ１０３に出力する。ＣＰＵ１０３は入力した画像データ２０８に基づきゲインコントロール信号２０５のレベルを設定して、レベル設定されたゲインコントロール信号２０５を出力する。
【００３２】
圧電センサ電極４０２は、撮像面４０１に置かれた物体から加えられる圧力を検知し、センサ回路４０３は、圧電センサ電極４０２で検知された圧力を電圧信号に変換して出力する。センサ回路４０３より出力される画像信号である電圧信号は、増幅器４０４で増幅された後に、Ａ／Ｄ変換器４０７により、デジタルデータに変換される。Ａ／Ｄ変換器４０７から出力されるデジタルデータは指紋画像の各画素の輝度を示す。指紋の山部と谷部では、撮像面４０１を押す圧力は異なるので、Ａ／Ｄ変換器４０７の出力するデジタルデータも山部と谷部では異なる。よって、指紋の山部と谷部とに相当する部分の画素の輝度も異なる。
【００３３】
さて、撮像面４０１を押す圧力は個人差があるため、撮像して得られる指紋画像の輝度にも個人差が生じて、指紋画像の輝度が高いまたは低いの一方に偏る場合が生じる。その場合には、正当な登録者であっても指紋の山部と谷部を区別できないために照合処理に失敗する。そこで、図４の構成においても、図２の静電容量型の指紋撮像部で述べたように、ＣＰＵ１０３は、増幅器４０４のゲインレベルをゲインコントロール信号２０５により操作し、輝度が高いまたは低いに偏らない画像データ２０８が出力されるように制御する。
【００３４】
次に、図５を参照して光学式センサを用いた指紋撮像部１０１について説明する。光学式センサを用いた指紋撮像部の構成は、特開平１１−３０９１３３号公報に詳細が示されているので、ここでは説明を簡単にする。図５では、指紋撮像時の照明用の光源の光量を調節することにより適切な指紋画像を得る構成が示される。
【００３５】
図５を参照して、光学式センサを用いた指紋撮像部１０１は、撮像対象となる指が置かれる撮像面５０１を有するプリズム５００、指紋撮像のためのＣＣＤ（charge coupled device）カメラ５０２、ＬＥＤ（light emitting diode）５０３、および画質調整パラメータを示す光量コントロール信号５０５が与えられる可変抵抗器５０７を備える。プリズム５００にはＬＥＤ５０３から光が出射されるので、出射した光はプリズム５００内に入射して撮像面５０１に置かれた指に照射される。
【００３６】
ＣＣＤカメラ５０２は、ＬＥＤ５０３の出射光を撮影用の照明光として利用して撮像面５０１に置かれた指の指紋を撮像して、指紋画像に対応のデジタルデータである画像データ２０８を、ＣＰＵ１０３に出力する。ＣＰＵ１０３は入力した画像データ２０８に基づき光量調節信号５０５を出力する。ＣＣＤカメラ５０２による撮像動作はＣＰＵ１０３により制御される。
【００３７】
可変抵抗器５０６は定電圧源ＶＣＣを接続し、ＬＥＤ５０３の入力端子５１０には定電圧源ＶＣＣからの電圧が可変抵抗器５０６を介して供給される。可変抵抗器５０６は、抵抗と可動片５１１を有し、可動片５１１は、与えられる光量調節信号５０５の信号レベルに応じて抵抗上を移動する。抵抗における可動片５１１の位置により可変抵抗器５０６の抵抗値が変化するので、定電圧源ＶＣＣから入力端子５１０を介してＬＥＤ５０３に供給される電圧レベルは、すなわちＬＥＤ５０３に供給される順方向の電流レベルは、ＣＰＵ１０３により光量調節信号５０５が操作されることにより、可変に調整される。
【００３８】
ＬＥＤ５０３は供給される電流レベルが高いほど多量の光を発し、逆に電流レベルが低いほど発する光量は少なくなる。したがって、ＬＥＤ５０３の発光量は端子５１０の電圧レベルに応じた供給電流レベルにより、言換えると光量調節信号５０５に従い可変に調整される。
【００３９】
このように、ＣＰＵ１０３はゲインコントロール信号２０５に代替して光量コントロール信号５０５を操作することにより、ＬＥＤ５０３の光量を、すなわち指紋撮像時の照明用光量を調整できるので、撮像して得られた指紋画像の各画素の輝度を調整できる。
【００４０】
このように図１の指紋撮像部１０１には、静電容量型、圧電センサ型および光センサ型のいずれも適用できるが、ＣＣＤ（charge coupled device）による固体撮像素子を用いて、固体撮像素子から出力される画像に対応の電圧信号のゲインを可変調整するようにしてもよい。以下の実施の形態１〜３では、静電容量型の指紋撮像部１０１を用いた場合について述べる。
【００４１】
（実施の形態１）
本実施の形態は、個人が所有する携帯電話のようにある特定の１人の指紋についての認証処理が必要とされる機器に組込まれた指紋認証装置を説明する。
【００４２】
図６には、実施の形態１に係る携帯電話器６００の概観が示される。携帯電話器６００は図１の指紋認証装置１のＣＰＵ１０３、不揮発性記憶部１０５およびメインメモリ１０６を内蔵する。通信Ｉ／Ｆ１１２の機能はアンテナ６０４を用いた無線通信に代替される。ＦＤ１１０またはＣＤ−ＲＯＭ１１１は、携帯電話器６００に着脱自在の図示のないスティクメモリなどに代替される。携帯電話器６００は表示部１０４に対応の液晶ディスプレイ６０１、入力部１０２に対応のテンキー６０２、および指紋撮像部１０１に対応の指紋撮像部６０３を備える。指紋撮像部６０３は撮像面を外部に露出していると想定する。
【００４３】
携帯電話器６００では通話を開始するには指紋認証が必要であり、指紋認証が成功した後に通話が許可されるものとする。そのための処理手順を図７〜図９および図１１のフローチャートに従い説明する。これらフローチャートは予めプログラムとしてメインメモリ１０６に格納されて、ＣＰＵ１０３により読出されて実行される。
【００４４】
まず、携帯電話器６００のユーザは、指紋登録処理および指紋認証処理のいずれを行なうかを指定する。すなわち、Ｓ８０２にて、ユーザは入力部１０２を操作して、指紋登録処理および指紋認証処理のうちいずれを行なうかの選択情報を入力する。Ｓ８０３にて、ＣＰＵ１０３は、入力された選択情報を判別する。具体的には、選択情報が指紋登録処理の選択を指示していればＳ８０４にて指紋登録処理を、指紋認証処理の選択が指示されていれば、Ｓ８０５にて指紋認証処理を行なう。
【００４５】
次にＳ８０４にて行なわれる指紋登録処理の詳細な処理について図８のフローチャートを参照して説明する。なお、ユーザの指３０１は撮像面２０１に置かれており、指紋を撮像する場合には撮像面の全体は指により覆われていると想定する。
【００４６】
まず、ＣＰＵ１０３は、Ｓ９０２にてゲインカウンタ１１４の値を初期化する。つまり、初期ゲインデータＧＡをメインメモリ１０６から読出し、読出した初期ゲインデータＧＡが示す値をゲインカウンタ１１４にセットする。ＣＰＵ１０３は、ゲインコントロール信号２０５のレベルを、ゲインカウンタ１１４の値に相当するレベルに設定して、レベル設定されたゲインコントロール信号２０５を可変抵抗器２０６に出力する。したがって、可変抵抗器２０６の可動片２１０はゲインコントロール信号２０５に応じた位置に移動するので、増幅器２０４のゲインレベルは初期ゲインデータＧＡが指示するレベルとなる。
【００４７】
Ｓ９０３では、ＣＰＵ１０３は指紋撮像部１０１に指示して指紋撮像処理を行なわせる。本処理の詳細は後述する。本処理が終了したときに、メインメモリ１０６には、撮像された指紋の画像データ２０８が一旦記憶される。
【００４８】
次に、Ｓ９０４では、ＣＰＵ１０３は、メインメモリ１０６に格納された画像データ２０８を読出し、読出した画像データ２０８基づき、撮像して得られた画像の画質は照合処理のための所定条件に合致しているかの判定を行なう。説明を分かりやすくする為、指紋撮像部１０１で撮像された画像の諧調ビット数は１とする。すなわち、撮像された画像中には白画素と黒画素の２種類の画素のみが存在する。画質判定はＳ９０３で撮像されメインメモリ１０６に記憶されている画像データ２０８が示す画像中の黒画素数をＣＰＵ１０３が数えることにより行なう。黒画素の総数が画像全体の例えば７５％以上を占める場合は、照合処理をするには画像が黒すぎると判断し、Ｓ９０５に移行する。
【００４９】
Ｓ９０５では、ＣＰＵ１０３は、画像データ２０８の白画素の総数を増加させる（撮像画像の輝度レベルを上昇させる）よう処理する。つまり、増幅器２０４の現在のゲインレベルを１db増やすためにゲインカウンタ１１４の値を１カウントアップさせて、カウントアップ後のゲインカウンタ１１４の値を示すレベルをゲインコントロール信号２０５に設定して、レベル設定後のゲインコントロール信号２０５を可変抵抗器２０６に出力する。これにより、可動片２１０は与えられるゲインコントロール信号２０５により位置を移動させられる。この結果、増幅器２０４のゲイン端子２１４の電圧レベルは上昇して、増幅器２０４のゲインは１ｄｂ増加する。その後、Ｓ９０３へ戻り指紋撮像を再び行なう。
【００５０】
一方、黒画素の総数が画像全体の２５％未満の場合は、照合処理をするには画像が白すぎると判断し、Ｓ９０６に移行する。
【００５１】
Ｓ９０６では、ＣＰＵ１０３は、画像データ２０８の黒画素の総数を増加させる（撮像画像の輝度レベルを下降させる）よう処理する。つまり、増幅器２０４の現在のゲインレベルを１db減らすためにゲインカウンタ１１４の値を１カウントダウンさせて、カウントダウン後のゲインカウンタ１１４の値を示すレベルをゲインコントロール信号２０５に設定して、レベル設定後のゲインコントロール信号２０５を可変抵抗器２０６に出力する。これにより、可動片２１０は与えられるゲインコントロール信号２０５により位置を移動させられる。この結果、増幅器２０４のゲイン端子２１４の電圧レベルは下降して、増幅器２０４のゲインは１ｄｂ減少する。その後、Ｓ９０３へ戻り指紋撮像を再び行なう。
【００５２】
上記のいずれにもあたらない場合、即ちＳ９０４において、黒画素の総数が２５％以上かつ７５％未満の場合は、照合処理のための適切な輝度の指紋画像が撮像されたと判断し、Ｓ９０７へ移る。このように、黒画素の総数が２５％以上かつ７５％未満の場合は撮像して得られた画像の画質は照合処理のための所定条件に合致していると判定される。
【００５３】
Ｓ９０７において、ＣＰＵ１０３は現在出力しているゲインコントロール信号２０５が示す増幅器２０４のゲインレベルデータを、すなわちゲインカウンタ１１４の現在値を読出し、そしてメインメモリ１０６の画像データ２０８を読出し、読出したこれらデータを、ゲインコントロールレベルデータ１２１および指紋画像データ１２２として含む登録指紋データ１０７を生成して、生成した登録指紋データ１０７を不揮発性記憶部１０５に格納する。
【００５４】
Ｓ９０４の判定のためには、７５％以上、２５〜７５％、２５％未満との基準を設けたが、基準値はこれに限定されない。また、増幅器２０４のゲインレベルの調整幅は１dbとしているが、これに限定されない。
【００５５】
ここでは、増幅器２０４のゲインレベルを調整する、すなわちゲイン制御端子２１４の電圧レベルを調整するために、定電圧源ＶＣＣと可変抵抗器２０６の簡単な回路を追加しているに過ぎないから、低コストである。もし、Ａ／Ｄ変換後の画像データ２０８について同様な調整をする場合には、画像データ処理に係るＣＰＵ１０３の負荷が大きくなり、照合を含む認証処理速度は低下するが、ここでは、増幅器２０４のゲインレベル調整としたので、そのような不都合は回避できる。
【００５６】
また、画質に応じて調整量を決定できる、すなわち１dbづつ増加させたり、または減少させたりできるので、速やかに適正な画質に移行させることができる。
【００５７】
図１０のとおり不揮発性記憶部１０５には、携帯電話器６００の所有者のためのただひとつの登録指紋データ１０７が格納される。登録指紋データ１０７のゲインコントロールレベルデータ１２１は、登録指紋データ１１７の指紋画像データ１２２の指紋を撮像した場合の増幅器２０４のゲインレベルを指示する。後述の指紋認証処理では、ゲインコントロールレベルデータ１２１に基づき設定されたゲインコントロール信号２０５を用いて指紋撮像が行なわれる。
【００５８】
次に、Ｓ９０３で行なわれている指紋撮像処理について、図９のフローチャートを参照して説明する。
【００５９】
まず、Ｓ１４０２で撮像面２０１に指３０１が置かれ、各センサ電極２０２と指表面との間に各コンデンサ３０２が形成される。Ｓ１４０３でセンサ回路２０３は各センサ電極２０２と指表面との間に形成された各コンデンサ３０２の容量の違いを検知し、検知結果を電圧信号に変換する。Ｓ１４０４でセンサ回路２０３から出力される電圧信号は増幅器２０４により増幅される。Ｓ１４０４で増幅された電圧信号は、Ｓ１４０５でＡ／Ｄ変換器２０７によりデジタルデータである画像データ２０８に変換されて出力される。以上により撮像により出力された画像データ２０８はＣＰＵ１０３を経由してメインメモリ１０６に格納される。
【００６０】
次にＳ８０５にて行なわれる指紋認証処理の詳細な処理について、図１１のフローチャートを参照して説明する。不揮発性記憶部１０５には予め、携帯電話器６００の正当な所有者である登録者の登録指紋データ１０７が格納されていると想定する。
【００６１】
Ｓ１１０２にて、ＣＰＵ１０３は不揮発性記憶部１０５から登録指紋データ１０７を読出しメインメモリ１０６に格納する。
【００６２】
次にＳ１１０３で、ＣＰＵ１０３はメインメモリ１０６の登録指紋データ１０７に含まれるゲインコントロールレベルデータ１２１を読出し、読出したゲインコントロールレベルデータ１２１が指示するレベルをゲインコントロール信号２０５に設定して、レベル設定後のゲインコントロール信号２０５を可変抵抗器２０６に出力する。したがって、可動片２１０はゲインコントロール信号２０５に従い抵抗上を移動するので、増幅器２０４のゲインは登録指紋データ１０７の指紋画像データ１２２の撮像時のそれと同じとなるように設定される。
【００６３】
その後、ＣＰＵ１０３は、Ｓ１１０４において図８のＳ９０３と同様に指紋撮像処理を行なう。指紋撮像処理が終了したときに、メインメモリ１０６には撮像して出力された画像データ２０８が記憶される。
【００６４】
次に、Ｓ１１０５にて、ＣＰＵ１０３は、メインメモリ１０６から読出した今回の撮像による画像データ２０８とメインメモリ１０６から読出した登録指紋データ１０７中の指紋画像データ１２２とに基づき、２つの指紋画像データは同一の指紋のデータであるか否かを判定する照合処理を実行する。
【００６５】
照合処理には一般的な方法として、マニューシャマッチング法がある。マニューシャマッチング法は指紋画像から指紋の端点や分岐点（以下、マニューシャという）などを抽出し、登録された指紋画像中のマニューシャと、照合対象の指紋画像中に存在するマニューシャを照合する方法である。本方法については特開２００１−２４３４６５に詳しく記述されている。なお、照合処理には他の方法が適用されてもよい。たとえば、特開平５−１０８８０５に詳しく記述されている、指紋の隆線方向による照合方法であってもよい。
【００６６】
Ｓ１１０６では、Ｓ１１０５の照合処理の結果をもとに処理の分岐が行なわれる。具体的には、Ｓ１１０５における照合処理により、照合した２つの指紋画像が同一の指紋ではないと判定された、つまり指紋認証処理に失敗した場合にはＳ１１０７に分岐する。一方、２つの指紋画像が同一の指紋であると判定された、つまり指紋認証処理に成功した場合には、Ｓ１１０８に分岐する。Ｓ１１０７では、指紋認証処理に失敗しているので“指紋認証処理失敗”と表示部１０４に表示する。Ｓ１１０８では、指紋認証処理に成功しているので携帯電話器６００の通話機能の使用が許可されるので通話処理が開始される。
【００６７】
ここで、脂性の登録者の指紋画像データ１２２が登録された携帯電話器６００に対し、乾燥肌の認証者の指紋の認証処理がなされた場合や、ゴムなどで偽造した認証者の指紋の認証処理が行なわれた場合を想定する。この場合の、指紋認証処理時には、ゴムなどで偽装した認証者の指紋の画像データ２０８と正当な登録者の指紋画像データ１２２とのパターンが同一であったとしても、Ｓ１１０３で脂性の登録者に適合するようにゲインコントロール信号２０５のレベルが設定されるので、Ｓ１１０４の指紋撮像処理では、偽装した指紋を撮像して出力された画像データ２０８からはマニューシャを抽出することはできない。そのため、Ｓ１１０５の照合処理による指紋認証処理は失敗する。よって、指紋認証装置１の他人受け入れ率は低下し、指紋認証装置１が搭載された携帯電話器６００の使用に関するセキュリティは向上する。
【００６８】
（実施の形態２）
本実施の形態は、携帯電話器６００とは異なり、図１２のサーバコンピュータのように複数人物が共用する機器に、指紋認証装置１が搭載される場合を想定する。サーバコンピュータは複数人が共用するので、複数の登録者の指紋画像データが登録される。
【００６９】
図１２を参照してサーバコンピュータは、表示部１０４に対応の液晶ディスプレイ７０１、入力部１０２に対応のキーボード７０３、指紋撮像部１０１に対応の指紋撮像部７０４、およびサーバコンピュータ本体７０２を備える。指紋撮像部７０４は撮像面２０１に対応の撮像面７０５を有する。サーバコンピュータ本体７０２には、図１のＣＰＵ１０３、不揮発性記憶部１０５、メインメモリ１０６、外部Ｉ／Ｆ１０９および通信Ｉ／Ｆ１１２を有する。
【００７０】
なお、サーバコンピュータではログインするには指紋認証が必要とされるように設定されており、指紋認証が成功した場合にのみログインが許可されるものと想定する。
【００７１】
本実施の形態２の不揮発性記憶部１０５には、図１３に示されるように、サーバコンピュータにログインすることが予め許可された複数の登録者のそれぞれに対応の登録指紋データ１１７が格納される。各登録指紋データ１１７は、対応の登録者を一意に識別するためのＩＤ番号データ１２０、ゲインコントロールレベルデータ１２１および指紋画像データ１２２を有する。
【００７２】
本実施の形態２に係る全体の処理手順は図７で示したものと同様であるので、説明は略す。本実施の形態２に係る図７のＳ８０４の指紋登録処理の手順を、図１４を参照して説明する。
【００７３】
図１４のＳ１００２〜Ｓ１００６は図８のＳ９０２〜Ｓ９０６と同じである。Ｓ１００７とＳ１００８では、登録指紋データ１１７が作成されて不揮発性記憶部１０５に格納される。登録指紋データ１１７の作成時には、ＩＤ番号データ１２０には、その時点で不揮発性記憶部１０５に既に格納されている登録指紋データ１１７の数を示す値が設定される。図１４の手順は不揮発性記憶部１０５に登録される登録指紋データ１１７の数だけ繰返して実行される。
【００７４】
指紋認証処理について図１５の手順を参照して説明する。なお、使用者（登録者）は、自身に対応の登録指紋データ１１７のＩＤ番号データ１２０を予め認識していると想定する。
【００７５】
まず、ＣＰＵ１０３は、Ｓ１２０２で使用者がキーボード７０３を操作して入力するＩＤ番号データを受理する。Ｓ１２０３でＣＰＵ１０３は、Ｓ１２０２で入力されたＩＤ番号データに一致するＩＤ番号データ１２０を有する登録指紋データ１１７を不揮発性記憶部１０５から読出してメインメモリ１０６に格納する。
【００７６】
Ｓ１２０４で、ＣＰＵ１０３は、メインメモリ１０６の登録指紋データ１１７と、指紋撮像部７０４を介して入力した画像データ２０８とに基づき、Ｓ１２０４〜Ｓ１２０６の処理を実行する。Ｓ１２０４〜Ｓ１２０６の処理は、図１１のＳ１１０３〜Ｓ１１０５の処理と同じである。
【００７７】
Ｓ１２０７では、Ｓ１２０６の照合処理の結果をもとに処理の分岐が行なわれる。Ｓ１２０６の照合処理に使用した２つの指紋画像データが同一の指紋でないという結果を示せば、指紋認証処理の失敗でありＳ１２０８に分岐する。一方、Ｓ１２０６の照合処理に使用した２つの指紋画像データが同一の指紋であるという結果を示すならば、指紋認証処理の成功でありＳ１２０９に分岐する。Ｓ１２０８では、指紋認証処理に失敗しているのでＣＰＵ１０３は、“指紋認証処理失敗”と液晶ディスプレイ７０１にメッセージを表示する。Ｓ１２０９では指紋認証処理に成功しているので、サーバコンピュータのログイン処理等が行なわれる。
【００７８】
本実施の形態２でも、実施の形態１と同様に、脂性の登録者の指紋画像データが登録されたサーバコンピュータに対し、認証者がゴムなどで偽装した指紋の画像データを用いて指紋認証処理を行なわせた場合には、Ｓ１２０６の照合処理による指紋認証処理は失敗する。
【００７９】
また、サーバコンピュータに脂性の登録者と乾燥肌の登録者それぞれの登録指紋画像データ１１７が不揮発性記憶部１０５に格納されており、ＩＤ番号データ１２０が“１”の登録指紋データ１１７は脂性の登録者の指紋画像データ１２２を有し、ＩＤ番号データ１２０が“２”の登録指紋データ１１７は乾燥肌の登録者の指紋画像データ１２２を有すると想定する。この場合に、ＩＤ番号データ１２０として“２”が割当てされた使用者（登録者）の指紋認証処理を行なう場合に、当該使用者は、Ｓ１２０２でＩＤ番号として“１”を入力したとする。この場合、Ｓ１２０４では入力されたＩＤ番号（“１”）に基づきゲインコントロール信号２０５には脂性の指紋に適合するようなレベルが設定される。よって、Ｓ１２０５の指紋撮像処理で指紋を撮像しても適切なゲインレベルではないからマニューシャが抽出できる指紋画像データ２０８を取得することはできず、Ｓ１２０６の照合処理による指紋認証処理は失敗する。よって、指紋認証装置１の他人受け入れ率は低下し、指紋認証装置１が組込まれたサーバコンピュータのログインに関するセキュリティは向上する。
【００８０】
（実施の形態３）
本実施の形態３では、実施の形態２と同様に認証処理装置１が図１２のサーバコンピュータに搭載された場合の指紋認証処理を述べる。本実施の形態３では、実施の形態２と異なり、指紋認証処理時にＩＤ番号データの入力は不要である。
【００８１】
本実施の形態３に係る全体の処理流れは実施の形態１の図７と同様である。本実施の形態３に係る指紋認証処理を図１６の手順を参照して説明する。
【００８２】
本指紋認証処理では、不揮発性記憶部１０５には図１３のように複数の登録者の登録指紋データ１１７が予め格納されていると想定する。
【００８３】
まず、Ｓ１３０２でＣＰＵ１０３はＩＤ番号データ１２０を指示するための一時変数Ｉに初期値として‘１’をセットする。次にＳ１３０３でＣＰＵ１０３は変数Ｉの値を示すＩＤ番号データ１２０を有する登録指紋データ１１７を不揮発性記憶部１０５より読出してメインメモリ１０６へ格納する。
【００８４】
Ｓ１３０４〜Ｓ１３０６で、ＣＰＵ１０３は、メインメモリ１０６の登録指紋データ１１７と指紋撮像部１０１を介して入力した画像データ２０８とを用いた照合処理を行なう。この照合処理の手順は、Ｓ１１０３〜Ｓ１１０５と同様である。
【００８５】
Ｓ１３０７では、Ｓ１３０６における照合処理の結果をもとに処理の分岐が行なわれる。Ｓ１３０６の照合処理が、２つの指紋画像データが同一の指紋によるものではないという結果を示せば、Ｓ１３０８に分岐する。一方、２つの指紋画像データが同一の指紋によるものであるという結果を示せば、指紋認証処理に成功であるのでＳ１３１１に分岐する。  Ｓ１３０８に分岐した場合、不揮発性記憶部１０５の登録指紋データ１１７のうち未照合のものがあるかを確認する。つまり、Ｓ１３０８では現在の変数Ｉの値が、不揮発性記憶部１０５内の登録指紋データ１１７の総個数未満を示すならば、Ｓ１３０９へ分岐し、総個数以上を示すならば、Ｓ１３１０へ分岐する。
【００８６】
Ｓ１３０９へ分岐した場合は、不揮発性記憶部１０５には未照合の登録指紋データ１１７が存在するので、Ｓ１３０９においてＣＰＵ１０３は変数Ｉの値を１増やし、Ｓ１３０３へ戻り、以下、同様にして次の要録指紋データ１１７について指紋認証処理を続行する。Ｓ１３１０へ分岐した場合は、不揮発性記憶部１０５の登録指紋データ１１７すべてについて照合処理は済んでいるにもかかわらずＳ１３０７の判定は同一の指紋でないことを示すので、すなわちＳ１３０５で入力される認証者の指紋は不揮発性記憶部１０５の登録指紋データ１１７が示す指紋のいずれとも一致しないので、ＣＰＵ１０３は“指紋認証処理失敗”のメッセージを液晶表示部７０１に表示する。また、Ｓ１３１１では指紋認証処理に成功しているので、サーバコンピュータのログイン処理等が行なわれる。
【００８７】
ここで、脂性の登録者の登録指紋データ１１７が不揮発性メモリ１０５に格納されているサーバコンピュータに対し、ゴムなどで指紋を偽装した認証者により指紋認証処理が行なわれた場合を想定する。この場合、指紋認証処理時には、Ｓ１３０４で脂性の指紋に適合するようなレベルにゲインコントロール信号２０５が設定される。よって、ゴムなどで指紋を偽装するなどした認証者の指紋画像データのパターンが登録者の指紋画像データと同一であったとしても、Ｓ１３０５の指紋撮像処理でマニューシャを抽出することができるような画像データ２０８を出力することはできず、Ｓ１３０６の照合処理が失敗する。
【００８８】
また、サーバコンピュータに脂性の登録者の登録指紋データ１１７と乾燥肌の登録者の登録指紋データ１１７が格納されている場合を想定する。そして、ＩＤ番号データ１２０が“１”の登録指紋データ１１７が脂性の登録者のデータを示し、ＩＤ番号データ１２０が“２”の登録指紋データ１１７が乾燥肌の登録者のデータを示すとする。このとき、ＩＤ番号データ１２０が“２”の登録者が指紋認証処理を行なったとする。この場合、まずＳ１３０４でＩＤ番号データ１２０が“１”の指紋に適合するように、即ち脂性の指紋の認証処理に適合するようゲインコントロール信号２０５のレベルが設定される。このとき、Ｓ１３０５の指紋撮像処理ではマニューシャを抽出できる画像データ２０８を得ることはできず、Ｓ１３０６の照合処理による指紋認証処理は失敗する。このとき、Ｓ１３０７からＳ１３０８、Ｓ１３０９へ分岐する。そして、Ｓ１３０３へ戻る。次に、Ｓ１３０４でＩＤ番号データ１２０が“２”の指紋に適合するように、即ち乾燥肌の指紋の認証処理に適合するようゲインコントロール信号２０５のレベルが設定される。このとき、Ｓ１３０５の指紋撮像処理でマニューシャを抽出できる画像データ２０８を取得できるので、Ｓ１３０６の照合処理による指紋認証処理に成功する。
【００８９】
以上のように、登録者は認証処理対象のＩＤ番号を入力しなくても、自身の指を撮像面に置くだけで、撮像による画像データ２０８と当該登録者に対応の登録指紋データ１１７の指紋画像データ１２２との照合処理がされて、指紋認証に成功する。
【００９０】
したがって、指紋認証装置１の他人受け入れ率は低下し、指紋認証装置１が搭載されたサーバコンピュータのログインに関するセキュリティは向上する。
【００９１】
（実施の形態４）
以上説明した処理機能は、プログラムで実現される。本実施の形態４では、このプログラムはコンピュータで読取可能な記録媒体に格納される。
【００９２】
本実施の形態では、この記録媒体として、図１に示されている認証処理装置１で処理が行なわれるために必要なメモリ、たとえばメインメモリ１０６のようなそのものがプログラムメディアであってもよいし、また外部Ｉ／Ｆ１０９として図示のない磁気テープ装置およびＣＤ−ＲＯＭ装置などのプログラム読取装置が設けられ、そこに記憶媒体である磁気テープまたはＣＤ−ＲＯＭ１１１が挿入されることで読取可能なプログラムメディアであってもよい。いずれの場合においても、格納されているプログラムはＣＰＵ１０３がアクセスして実行させる構成であってもよいし、あるいはいずれの場合もプログラムが一旦読出されて、読出されたプログラムは、図１の装置の所定のプログラム記憶エリア、たとえばメインメモリ１０６のプログラム記憶エリアにロードされて、ＣＰＵ１０３により読出されて実行される方式であってもよい。このロード用のプログラムは、予め当該認証処理装置１に格納されているものとする。
【００９３】
ここで、上述したプログラムメディアは認証処理装置１の本体と分離可能に構成される記録媒体であり、磁気テープやカセットテープなどのテープ系、ＦＤ１１０やハードディスクなどの磁気ディスクやＣＤ−ＲＯＭ１１１／ＭＯ（Magnetic  Optical  Disc）／ＭＤ（Mini  Disc）／ＤＶＤ（Digital  Versatile  Disc）などの光ディスクのディスク系、ＩＣカード（メモリカードを含む）／光カードなどのカード系、あるいはマスクＲＯＭ、ＥＰＲＯＭ（Erasable  and  Programmable  ＲＯＭ）、ＥＥＰＲＯＭ(Electrically  ＥＰＲＯＭ)、フラッシュＲＯＭなどによる半導体メモリを含めた固定的なプログラムを担持する媒体であってもよい。
【００９４】
また、本実施の形態においては、認証処理装置１はインターネットを含む通信ネットワーク１１３と通信Ｉ／Ｆ１１２を介して接続可能な構成が採用されているから、通信ネットワーク１１３からプログラムがダウンロードされるように流動的にプログラムを担持する媒体であってもよい。なお、このように通信ネットワーク１１３からプログラムがダウンロードされる場合には、ダウンロード用プログラムは予め当該認証処理装置１本体に格納しておくか、あるいは別の記録媒体から予め当該認証処理装置１の本体にインストールされるものであってもよい。
【００９５】
なお記録媒体に格納されている内容としてはプログラムに限定されず、データであってもよい。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９７】
【図１】各実施の形態に係る指紋認証装置の構成図である。
【図２】静電容量型指紋撮像部のブロック図である。
【図３】撮像面に指を置いた場合のセンサ電極部を示した図である。
【図４】圧電センサ型指紋撮像部のブロック図である。
【図５】光学センサ型指紋撮像部のブロック図である。
【図６】実施の形態１に係る携帯電話の外観図である。
【図７】各実施の形態に係る概略処理フローチャートである。
【図８】実施の形態１に係る指紋登録処理のフローチャートである。
【図９】実施の形態１に係る指紋撮像処理のフローチャートである。
【図１０】実施の形態１に係る登録指紋データを説明する図である。
【図１１】実施の形態１に係る指紋認証処理のフローチャートである。
【図１２】実施の形態２に係るサーバコンピュータの概観図である。
【図１３】実施の形態２と３に係る登録指紋データを説明する図である。
【図１４】実施の形態２と３に係る指紋登録処理のフローチャートである。
【図１５】実施の形態２に係る指紋認証処理のフローチャートである。
【図１６】実施の形態３に係る指紋認証処理のフローチャートである。
【符号の説明】
【００９８】
１  指紋認証装置、１０７，１１７  登録指紋データ、１１４  ゲインカウンタ、１２０  ＩＤ番号データ、１２１  ゲインコントロールレベルデータ、１２２  指紋画像データ、２０４  増幅器、２０５  ゲインコントロール信号、２０６  可変抵抗器、２０８  画像データ、２１０  可動片、２１４  ゲイン端子、ＧＡ  初期ゲインデータ。
【図１】
2006260054.tif 000003
【図２】
2006260054.tif 000004
【図３】
2006260054.tif 000005
【図４】
2006260054.tif 000006
【図５】
2006260054.tif 000007
【図６】
2006260054.tif 000008
【図７】
2006260054.tif 000009
【図８】
2006260054.tif 000010
【図９】
2006260054.tif 000011
【図１０】
2006260054.tif 000012
【図１１】
2006260054.tif 000013
【図１２】
2006260054.tif 000014
【図１３】
2006260054.tif 000015
【図１４】
2006260054.tif 000016
【図１５】
2006260054.tif 000017
【図１６】
2006260054.tif 000018